(57)【要約】【目的】携帯電話等の携帯機器とプリンタとを一体とする。【構成】携帯電話１０は、液晶画面１２が設けられた蓋１４が、プリンタ２４の一端部にヒンジ２０によって開閉可能に連結され、キーボード２２が、ヒンジ２８によってプリンタ２４の他端部に開閉可能に連結されている。キーボード２２は蓋１４とプリンタ２４との間に配置される。蓋１４はヒンジ２０によってプリンタ２４に対して接離可能となっており、プリント時には表示窓３６Ａが入射窓３０に密着するので、液晶画面１２からの光が漏れ出さず、鮮明な画像が得られる。【選択図】  図６
2005052979.tif 000002
【特許請求の範囲】
【請求項１】
表示画面を備える蓋と、
前記蓋が開閉可能に連結され、閉じられた前記蓋の前記表示画面から発せられる光を収納された感光材料の感光面に入射させる入射窓が設けられたプリンタと、
前記プリンタと重なった状態でその上に前記蓋が重ねられると共に、前記プリンタから退避した状態で前記蓋と前記プリンタとを重ね合わせ可能とするキーボードと、を有することを特徴とする携帯機器。
【請求項２】
前記キーボードを退避させる機構が、前記キーボードを前記プリンタに回動可能に連結する第１ヒンジであることを特徴とする請求項１に記載の携帯機器。
【請求項３】
前記キーボードの裏面に前記プリンタを操作させるプリンタ操作部が設けられたことを特徴とする請求項２に記載の携帯機器。
を特徴とする携帯機器。
【請求項４】
前記キーボードを退避させる機構が、前記キーボードを前記プリンタに摺動可能に連結する摺動手段とされていることを特徴とする請求項１に記載の携帯機器。
【請求項５】
前記蓋を前記プリンタに回動可能に連結する第２ヒンジは、
前記蓋又は前記プリンタから延出する軸部と、
前記プリンタ又は前記蓋に設けられ、前記軸部を、前記蓋が前記プリンタから離れる第１の位置と、前記蓋が前記プリンタに接する第２の位置で回動可能に支持し、且つ前記軸部を前記第１の位置から前記第２の位置へ移動可能とする軸受部と、を有することを特徴とする請求項１乃至４の何れかに記載の携帯機器。
【請求項６】
前記第２ヒンジは、
前記蓋、及び前記プリンタに両端部を回動可能に支持され、前記蓋を前記プリンタに対して接離可能とするアームであることを特徴とする請求項１乃至４の何れかに記載の携帯機器。
【請求項７】
前記キーボードが前記蓋と前記プリンタとの間から退避されると前記入射窓の周辺から突出して前記表示画面の周辺に密着する遮光手段を有することを特徴とする請求項１乃至４の何れかに記載の携帯機器。
【請求項８】
前記蓋と前記キーボードとで携帯電話を構成することを特徴とする請求項１乃至７の何れかに記載の携帯機器。
【発明の詳細な説明】
【０００１】
【発明の属する技術分野】
本発明は、開閉式の携帯機器に関する。
【０００２】
【従来の技術】
従来から携帯電話等の携帯機器と、携帯機器の表示画面の画像をプリントする携帯型のプリンタとが一体接続可能とされた携帯機器が考案されている（例えば、特許文献１、２参照）。
【０００３】
しかし、従来の携帯機器では、携帯型のプリンタは脱着式とされており、別々に持ち運ばなければならなかった。また、従来の携帯機器は、プリンタへ画像データを送信してプリンタにプリントさせる構成だったので、プリンタに露光手段を設けなくてはならず、高コストであるという問題があった。
【０００４】
【特許文献１】
特開２００１−２５３１３７号公報
【特許文献２】
特開２００１−２５３１２２号公報
【０００５】
【発明が解決しようとする課題】
上述の事情に鑑み、本発明は、プリンタを携帯機器と一体にして携帯機器の携帯性を向上させ、且つ携帯機器のコストを低減することを目的とするものである。
【０００６】
【課題を解決するための手段】
請求項１に記載の携帯機器は、表示画面を備える蓋と、前記蓋が開閉可能に連結され、閉じられた前記蓋の前記表示画面から発せられる光を収納された感光材料の感光面に入射させる入射窓が設けられたプリンタと、前記プリンタと重なった状態でその上に前記蓋が重ねられると共に、前記プリンタから退避した状態で前記蓋と前記プリンタとを重ね合わせ可能とするキーボードと、を有することを特徴とする。
【０００７】
請求項１に記載の携帯機器では、表示画面を備える蓋が、プリンタに開閉可能に連結されている。プリンタにはキーボードが重ねられ、その上に閉じられた蓋が重ねられる。また、キーボードはプリンタから退避した状態で蓋とプリンタとを重ね合わせ可能とする。
【０００８】
これによって、表示画面のプリントを行わない時は、キーボードをプリンタに重ねて、通常の操作を行うことができる。これに対して、表示画面のプリントを行う時は、キーボードをプリンタから退避させて表示画面と入射窓を対面させる。これによって、表示画面から発せられた光が入射窓を通過して感光材料の感光面に入射し、表示画面の画像が感光材料の感光面にプリントされる。
【０００９】
上述したような構成にしたことによって、本発明の携帯機器は、通常のキー操作を行う状態と、表示画面のプリントを行う状態を取ることができる。また、プリンタと携帯機器を別々に持ち運ばなくても良く、携帯し易い。
【００１０】
さらに、画像データをプリンタに送信するのではなく、表示画面から発せられる光を感光材料の感光面に直接結像させるようにしたので、プリンタに露光手段を設ける必要がなくなり、プリンタのコストを低減できる。
【００１１】
請求項２に記載の携帯機器は、請求項１に記載の携帯機器であって、前記キーボードを退避させる機構が、前記キーボードを前記プリンタに回動可能に連結する第１ヒンジであることを特徴とする。
【００１２】
請求項２に記載の携帯機器では、キーボードが、第１ヒンジによってプリンタに回動可能に連結され、蓋とプリンタとの間から退避可能となっている。これによって、キーボードを、蓋とプリンタとの間と、退避位置との間で回動させるだけで、通常の操作の形態とプリントする形態との２形態を取ることができる。
【００１３】
請求項３に記載の携帯機器は、請求項２に記載の携帯機器であって、前記キーボードの裏面に前記プリンタを操作させるプリンタ操作部が設けられたことを特徴とする。
【００１４】
請求項３に記載の携帯機器では、キーボードが、プリントのために開かれ、操作部が設けられた表面は下向きになっているが、上を向いた裏面にプリンタ操作部が設けられているので、プリンタを操作できる。
【００１５】
請求項４に記載の携帯機器は、請求項１に記載の携帯機器であって、前記キーボードを退避させる機構が、前記キーボードを前記プリンタに摺動可能に連結する摺動手段とされていることを特徴とする。
【００１６】
請求項４に記載の携帯機器では、キーボードが、摺動手段によってプリンタに摺動可能に連結され、蓋とプリンタとの間から退避可能となっている。これによって、キーボードを、蓋とプリンタとの間と、退避位置との間で摺動させるだけで、通常の使用形態とプリントの形態との２形態を取ることができる。また、プリント状態でもキーボードの操作部が上向きになっているので、この操作部によってプリンタを操作することが可能である。
【００１７】
請求項５に記載の携帯機器は、請求項１乃至４の何れかに記載の携帯機器であって、前記蓋を前記プリンタに回動可能に連結する第２ヒンジは、前記蓋又は前記プリンタから延出する軸部と、前記プリンタ又は前記蓋に設けられ、前記軸部を、前記蓋が前記プリンタから離れる第１の位置と、前記蓋が前記プリンタに接する第２の位置で回動可能に支持し、且つ前記軸部を前記第１の位置から前記第２の位置へ移動可能とする軸受部と、を有することを特徴とする。
【００１８】
請求項５に記載の携帯機器では、蓋が第２ヒンジによってプリンタに回動可能に連結されている。この第２ヒンジは、蓋又はプリンタから延出する軸部と、プリンタ又は蓋に設けられ、軸部を回動可能に支持する軸受部とで構成されている。軸部は、軸受部によって蓋がプリンタから離れる第１の位置と、蓋がプリンタに接する第２の位置で支持され、第１の位置から第２の位置へ移動可能とされている。
【００１９】
これによって、第１の位置では、キーボードを蓋とプリンタとの間に配置して通常の操作を行い、第２の位置では、表示画面を入射窓に密着させてプリントを行うことができる。
【００２０】
これによって、プリント時に、表示画面から発せられた光が漏れることなく、感光材料の感光面に入射されるので、鮮明なプリントが得られる。また、通常の使用形態でも、不自由なく使用できる。
【００２１】
請求項６に記載の携帯機器は、請求項１乃至４の何れかに記載の携帯機器であって、前記第２ヒンジは、前記蓋、及び前記プリンタに両端部を回動可能に支持され、前記蓋を前記プリンタに対して接離可能とするアームであることを特徴とする。
【００２２】
請求項６に記載の携帯機器では、アームが両端部を蓋、及びプリンタに回動可能に支持されている。蓋は、このアームによってプリンタに対して接離可能となっている。これによって、キーボードを蓋とプリンタとの間に配置することができ、又は表示画面を入射窓に密着できる。
【００２３】
請求項７に記載の携帯機器は、請求項１乃至４の何れかに記載の携帯機器であって、前記キーボードが前記蓋と前記プリンタとの間から退避されると前記入射窓の周辺から突出して前記表示画面の周辺に密着する遮光手段を有することを特徴とする。
【００２４】
請求項７に記載の携帯機器では、キーボードが蓋とプリンタとの間から退避されると、遮光手段が、入射窓の周辺から突出して表示画面の周辺に密着する。これによって、表示画面から発せられた光が漏れることなく感光材料の感光面に入射し、また、外光が感光面に入射することがないので、鮮明な画像が得られる。
【００２５】
請求項８に記載の携帯機器は、請求項１乃至７の何れかに記載の携帯機器であって、前記蓋と前記キーボードとで携帯電話を構成することを特徴とする。
【００２６】
請求項８に記載の携帯機器では、携帯電話とプリンタが一体となっており、これらを別々に持ち運ぶ必要がない。また、プリンタを使用しない時は、キーボードが、プリンタに重ねられた状態となっており、通常の携帯電話と同じ形態となているので、通話やキー操作が可能である。
【００２７】
【発明の実施の形態】
以下に図面を参照しながら本発明の第１の実施の形態について説明する。
【００２８】
図１に示すように、携帯機器としてのカメラ付き携帯電話（以下、携帯電話と言う）１０は、液晶画面１２を備える蓋１４が、操作ボタン１６を備える本体１８にヒンジ２０によって開閉可能に連結されている。本体１８は、キーボード２２と、プリンタ２４とで構成されている。キーボード２２には、操作ボタン１６が表面に設けられ、携帯電話１０の主制御部である回路基板（図示省略）が内蔵されている。また、プリンタ２４には、インスタントフィルムＦ（図３参照）が内蔵されている。
【００２９】
ヒンジ２０は、プリンタ筐体２６の一端部に設けられており、蓋１４をプリンタ筐体２６の一端部に回動可能に連結している。また、キーボード２２は、プリンタ筐体２６の他端部に設けられたヒンジ２８によってプリンタ筐体２６の他端部に回動可能に連結されている。キーボード２２が折り畳まれた状態で、操作ボタン１６が表向きになる。
【００３０】
図２に示すように、キーボード２２が開かれると、プリンタ筐体２６の内面２６Ａに設けられた入射窓３０が表れる。この入射窓３０は、蓋１４の液晶画面１２と略同一のサイズの透明板で、閉じられた液晶画面１２に面するように設けられている。また、キーボード２２の裏面には、プリンタ２４にプリンタ指示を出すプリントボタン３２と、プリントする画像の選択を行う画像選択ボタン３３が設けられている。このため、キーボード２２が開かれて操作ボタン１６（図１参照）が下向きになってもプリント指示や画像選択を行うことができる。
【００３１】
図３に示すように、キーボード２２が開かれて蓋１４とプリンタ２４との間から退避され、蓋１４が折り畳まれると、液晶画面１２が入射窓３０に対面する。
これによって、液晶画面１２から発せられる光が、入射窓３０を通過してインスタントフィルムＦの感光面に入射し、液晶画面１２の画像がプリントされる。
【００３２】
なお、図４、図５に示すように、液晶画面１２の画像を表示するサブ液晶３４をキーボード２２の裏面、又は蓋１４の外面に設けておけば蓋１４を閉じた状態でも、プリントする画像を確認できる。
【００３３】
図６に示すように、液晶画面１２は、蓋筐体３６の表示窓３６Ａに面して設けられ、液晶画面１２の裏側には、バックライトユニット３８が設けられている。
バックライトユニット３８は、液晶画面１２の一端部に沿って設けられた蛍光管４０と蛍光管４０から発光された光を液晶画面１２の裏面に反射するリフレクタ４２とで構成されている。液晶画面１２の画像は、バックライトユニット３８から発光され、液晶画面１２を透過した光によって視認できるようになっている。
【００３４】
プリンタ筐体２６には、インスタントフィルムＦを複数枚重ねて収納したフィルムケース４４が、インスタントフィルムＦの感光面が液晶画面１２に面するように収納されている。
【００３５】
入射窓３０と感光フィルムＦとの間には、シャッタ４６が設けられている。シャッタ４６は、入射窓３０に入射する光を通過させて液晶画面１２の画像をインスタントフィルムＦの感光面に結像させ、又は入射窓３０に入射する光を遮断してインスタントフィルムＦの感光を防止している。
【００３６】
また、フィルムケース４４に形成されたフィルム排出口４４Ａとプリンタ筐体２６に形成されたフィルム排出口２６Ｂとの間には、排出ローラ４８が配設されている。この排出ローラ４８によって、液晶画面１２の画像が結像されたインスタントフィルムＦはプリンタ筐体２６から排出される。
【００３７】
また、フィルムケース４４の底面４４Ｂには、押し出しバネ５０が設けられており、インスタントフィルムＦが１枚抜き取られる毎に次のインスタントフィルムＦの感光面がシャッタ４６の手前で位置決めされるようにインスタントフィルムＦをシャッタ４６側へ押圧している。
【００３８】
シャッタ４６は、主に蛇腹５２とレンズアレイ５４とで構成されている。蛇腹５２は入射窓３０に面して設けられている。蛇腹５２には幅方向に向かって開口部が形成され、この開口部にセルフォックレンズ（商品名）が直線状に密着配列されたレンズアレイ５４が取付けられている。このレンズアレイ５４は蛇腹５２が伸縮する方向に移動可能となっており、図示するように、レンズアレイ５４が入射窓３０と感光フィルムＦの感光面との間から退避している時に、インスタントフィルムＦの感光面は遮光状態となっている。
【００３９】
そして、図７に示すように、蛇腹５２を伸縮させてレンズアレイ５４を図示しない走査手段で入射窓３０に面して走査させると、入射窓に入射した光がインスタントフィルムＦの感光面に線状に連続して結像される。これによって、液晶画面１２の画像がインスタントフィルムＦにプリントされる。
【００４０】
ここで、蓋１４とプリンタ２４を回動可能に連結するヒンジ２０について説明する。
【００４１】
図１、図８に示すように、ヒンジ２０は、蓋筐体３６に設けられた蓋側ヒンジ５６と、プリンタ筐体２６に設けられたプリンタ側ヒンジ５８とで構成されている。蓋側ヒンジ５６は、蓋筐体３６の端部の中央部からプリンタ２４側へ隆起した半円柱形状の配線挿通部５６Ａと、配線挿通部５６Ａの軸方向の両端面から外側へ突出する２本の軸部５６Ｂとで構成されている。
【００４２】
配線挿通部５６Ａは中空で、液晶画面１２、バックライトユニット３８を制御する制御回路（図示省略）とプリンタ２４を制御する制御回路（図示省略）を接続する配線（図示省略）が挿通されている。
【００４３】
プリンタ側ヒンジ５８は、プリンタ筐体２６の端面の両端部に設けられ、蓋側ヒンジ５６を挟むように蓋１４側へ突出した２個の筒体で、蓋１４側がＲ形状とされ、外面側がテーパ状とされている。
【００４４】
図８に示すように、プリンタ側ヒンジ５８には軸部５６Ｂを支持する軸受穴６０が空けられている。軸受穴６０は、蓋１４側へ広がった長穴で、中央部６０Ａが縮径されている。この中央部６０Ａの両側が軸部５６Ｂを回動可能に支持する軸受穴で、蓋１４側が第１軸受穴６０Ｂ、プリンタ２４側が第２軸受穴６０Ｃとされている。
【００４５】
第１軸受穴６０Ｂは、プリンタ筐体２６の内面２６Ａよりも蓋１４側に位置する。そして、軸部５６Ｂは蓋筐体３６の内面３６Ａよりもプリンタ２４側に位置する。このため、蓋１４とプリンタ２４との間には隙間が生まれ、この隙間に閉じられたキーボード２２が収容されるようになっている。従って、蓋１４を閉じることができる。
【００４６】
また、図９に示すように、第２軸受穴６０Ｃは、プリンタ筐体２６の内面２６Ａよりもプリンタ２４側に位置している。このため、キーボード２２が開かれ、蓋１４が閉じられた状態で、蓋筐体３６の表示窓３６Ａ（図６参照）がプリンタ筐体２６の入射窓３０に密着する。これによって、表示画面１２を透過した光は、漏れることなく入射窓３０に入射されるので、鮮明な画像が得られる。
【００４７】
ここで、プリンタ側ヒンジ５８は、弾性変形可能な樹脂で形成されている。このため、図１０に示すように、軸部５６Ｂは、中央部６０Ａを押し広げながら第１軸受穴６０Ｂと第２軸受穴６０Ｃとの間を移動できる。
【００４８】
これによって、蓋１４は、キーボード２２が閉じた状態で蓋１４を開閉できる第１の位置から、キーボード２２が開いた状態で蓋１４の表示窓３６Ａ（図６参照）がプリンタ２４の入射窓３０に密着する第２の位置まで、容易に移動できる。
【００４９】
従って、携帯電話１０は、通話等の通常の使用形態から表示画面１２をプリントする形態へ容易に形態を変えることができ、どちらの形態でも不自由なく使用できる。
【００５０】
なお、ヒンジ２０には、蓋１４の開閉をサポートする圧縮コイルバネ、引張コイルバネ、捻りコイルバネ、及び板バネ等の付勢手段、及びカム機構、蓋１４の開閉状態を維持するラッチ等を備えておくことことが望ましい。
【００５１】
次に、ヒンジ２０の変形例について説明する。なお、上述した構成と同じ構成については同一の符号を付し、説明は省略する。
【００５２】
図１１、図１２に示すように、携帯電話７０のヒンジ７１は、蓋筐体７２に設けられた蓋側軸受７４と、プリンタ筐体７６に設けられたプリンタ側軸受７８、及び蓋側軸受７４とプリンタ側軸受７８によって両端部を回動可能に支持されたアーム８０とで構成されている。
【００５３】
プリンタ側軸受７８は、プリンタ筐体７６の端面７６Ａと外面７６Ｂとの角部の両端部に、アーム８０を挟むように設けられた２個の半円柱形状の筒体である。蓋側軸受７４は、蓋筐体７２の端部の両端部からプリンタ２４側へ隆起した半円柱形状の筒体である。
【００５４】
そして、アーム８０は、両端部が蓋側軸受７４、プリンタ側軸受７８と同径の両端面を持つ円柱体８０Ｂで、この両端面から軸部８０Ａが突出している。また、アーム８０は、中空の筒体で、液晶画面１２、バックライトユニット３８（共に、図６参照）を制御する制御回路（図示省略）とプリンタ２４を制御する制御回路（図示省略）を接続する配線（図示省略）が挿通されている。
【００５５】
図１２に示すように、アーム８０は、プリンタ筐体７６の端面７６Ａに沿って設けられ、プリンタ側軸受７８に軸支された軸部８０Ａの縮径部８０Ｃに挿入された捻りコイルバネ８２によって、プリンタ筐体７６の端面７６Ａに押し当てられている。この状態では、蓋１４とプリンタ２４との間には隙間があり、この隙間にキーボード２２が収納される。従って、蓋１４を閉じることができる。
【００５６】
なお、捻りコイルバネ８２のアーム８０を付勢する直線部８２Ａは、図示は省略したが、屈折されてアーム８０の内部に挿入されている。
【００５７】
また、図１３に示すように、キーボード２２が開かれた状態では、アーム８０が倒されることによって、蓋１４とプリンタ２４との隙間が無くなり、表示窓３６Ａが入射窓３０に密着する（表示窓３６Ａと入射窓３０は、共に図６参照）。
従って、液晶画面１２を透過した光が漏れることなく入射窓３０に入射するので、鮮明な画像がインスタントフィルムＦにプリントされる。
【００５８】
ここまでは、蓋１４がプリンタ２４に対して接離し、表示窓３６Ａが入射窓３０に密着することによって、液晶画面１２からの光の漏れ出しを防止する構成について説明したが、ここからは、プリンタに光の漏れ出しを防止するための機能が備えられた携帯電話について説明する。なお、これまでの構成と同一の構成には同一の符号を付し、説明は省略する。
【００５９】
図１４に示すように、携帯電話９０では、蓋１４が、ヒンジ９２によってプリンタ９３に回動可能に連結され、蓋１４とプリンタ９３との間に隙間が空けられ、この隙間にキーボード２２が収容されている。
【００６０】
ここで、図１５に示すように、キーボード２２が開かれると蓋１４とプリンタ９３との間に三角形状の隙間ができるので表示窓３６Ａを入射窓３０に密着させることはできない。しかし、キーボード２２が開かれると、遮光部材９４が入射窓３０の周辺から突出し、閉じられた蓋１４の表示窓３６Ａの周辺に当接して液晶画面１２と入射窓３０との間からの光の漏れ出しを防止する（表示窓３６Ａ、液晶画面１２、入射窓３０は図６参照）。
【００６１】
ここから、携帯電話９０の内部構造について説明する。
【００６２】
図１６に示すように、入射窓３０が、矩形状の枠体である遮光部材９４の枠内に嵌め込まれている。プリンタ筐体９６の内面９６Ａには、インスタントフィルムＦに面して開口部９６Ｂが設けられており、遮光部材９４の一端部はヒンジ９５によって開口部９６Ｂの一端部に回動可能に支持されている。また、遮光部材９４の他端部は、プリンタ筐体９６の内壁に設けられた板バネ９８によってキーボード２２側へ付勢されている。
【００６３】
図１７に示すように、キーボード２２が開かれると、遮光部材９４は板バネ９８の不勢力によって開口部９６Ｂから突出する。遮光部材９４の他端部にはストッパ９４Ａが設けられており、ストッパ９４Ａが開口部９６Ｂの縁部に当接する。そして、蓋１４が閉じられると、遮光部材９４が表示窓３６Ａの周辺に密着する。これによって、液晶画面１２からの光の漏れ出しが防止される。
【００６４】
なお、携帯電話９０では、入射窓３０が表示窓３６Ａ（図６参照）に密着するようになっていないが、これらを密着するようにしても良い。また、板バネ９８の不勢力で遮光部材９４をプリンタ筐体９６から突出させるようにしたが、ヒンジ９５に捻りコイルバネを取付けて、捻りコイルバネで遮光部材を付勢するようにしても良い。
【００６５】
次に、図１８に示す携帯電話１００について説明する。携帯電話１００も携帯電話９０と同様に、キーボード２２が開かれると、蓋１４とプリンタ１０１との間に隙間が生まれる。
【００６６】
プリンタ１０１の入射窓３０の周辺には、矩形状の枠体である遮光部材１０２が設けられている。遮光部材１０２は、スポンジ等の弾性体であり、キーボード２２が閉じられている時は、圧縮され、キーボード２２が開かれると、伸長し、閉じられた蓋１４の表示窓３６Ａの周辺に密着する。このため、液晶画面１２と入射窓３０との間からの光の漏れ出しが防止される。また、遮光部材１０２はキーボード２２が閉じるのを妨げない。
【００６７】
次に、携帯電話１１０について説明する。携帯電話１１０も携帯電話９０、１００と同様に、キーボード２２が開かれると、蓋１４とプリンタ１１１との間には隙間が生まれる。
【００６８】
図１９に示すように、プリンタ１１１は、ヒンジ９２によって蓋１４が一端部に回動可能に連結され、ヒンジ２８によってキーボード２２が他端部に回動可能に連結された筐体１１２と、入射窓３０とインスタントフィルムＦの感光面が液晶画面１２に面するように筐体１１２に収納され、且つ筐体１１２内で回動可能とされたプリンタ本体１１４とで構成されている。
【００６９】
プリンタ本体１１４のプリンタ筐体１１６には、インスタントフィルムＦの感光面に面して矩形状の開口部１１６Ａが設けられており、この開口部１１６から筒体１１６Ｂが突出している。入射窓３０は、この筒体１１６Ｂの中に嵌め込まれている。また、筐体１１２の内面１１２Ａには、液晶画面１２に面して開口部１１２Ｂが設けられており、この開口部１１２Ｂから筒体１１６Ｂの先端部が突出し、キーボード２２の裏面に当接している。
【００７０】
また、プリンタ筐体１１６には、排出ローラ４８に面してフィルム排出口１１６Ｃが設けられており、このフィルム排出口１１６Ｃの反対側が、ヒンジ１１８によって筐体１１２の内部に回動可能に支持されている。
【００７１】
また、筐体１１２には、プリンタ筐体１１６のフィルム排出口１１６Ｃが設けられた端面１１６Ｄに面して、フィルム排出口１１２Ｃが設けられている。プリンタ筐体１１６の端面１１６Ｄからは、フィルム排出口１１２Ｃと内面１１２Ａとの間へ延出するバネ受け板１１６Ｅが延出している。
【００７２】
そして、このバネ受け板１１６Ｅと筐体１１２のフィルム排出口１１２Ｃに圧縮コイルバネ１１９の両端部が取付けられており、この圧縮コイルバネ１１９によってプリンタ本体１１４が、キーボード２２へ付勢されている。
【００７３】
図２０に示すように、キーボード２２が開かれると、プリンタ本体１１４は、圧縮コイルバネ１１９の不勢力によって回動されて筒体１１６Ｂの開口部１１２Ｂからの突出量が多くなり、蓋１４が閉じられると、筒体１１６Ｂの先端部が表示窓３６Ａの周辺に密着する。これによって、液晶画面１２を透過した光は漏れることなく入射窓３０に入射する。
【００７４】
なお、この状態で、プリンタ筐体１１６のフィルム排出口１１６Ｃは筐体１１２のフィルム排出口１１２Ｃに面するようになっており、プリント済みのインスタントフィルムＦを筐体１１２から排出できる。
【００７５】
また、携帯電話１１０では、圧縮コイルバネ１１９によってプリンタ本体１１４を蓋１４側へ付勢するようにしたが、ヒンジ１１８に捻りコイルバネを挿入して、この捻りコイルバネによってプリンタ本体１１４を蓋１４側へ付勢するようにしても良い。
【００７６】
次に、プリンタのプリント機構の変形例について説明する。なお、これまで説明した構成と同じ構成については同一の符号を付し、説明は省略する。
【００７７】
図２１に示すように、携帯電話１２０のプリンタ１２２は、蓋１４の表示窓３６Ａに密着して、液晶画面１２の画像を箱型のプリンタ筐体１２４に収納されたインスタントフィルムＦに結像する。
【００７８】
プリンタ筐体１２４には、インスタントフィルムＦを複数枚重ねて収納したフィルムケース４４が、インスタントフィルムＦの感光面が液晶画面１２に面するように収納されている。プリンタ筐体１２４にはインスタントフィルムＦの感光面に光を入射させる開口部１２４Ａが形成され、開口部１２４Ａの周辺は、液晶画面１２の周辺に密着する密着面１２４Ｂとされている。
【００７９】
また、プリンタ筐体１２４には、開口部１２４Ａから筐体内に向かって断面積を減少させるレンズフード１２４Ｃが形成され、レンズフード１２４Ｃの縮径部には、結像レンズ１２６が設けられている。これによって、液晶画面１２を透過した光が、結像レンズ１２６に入射する。
【００８０】
なお、結像レンズ１２６の画角をレンズフード１２４Ｃによって制限するようにしても良い。また、レンズフード１２４Ｃには、内面反射を防止するための表面処理を施すようにすると効果的である。
【００８１】
そして、結像レンズ１２６とインスタントフィルムＦとの間には、シャッタ１２８が配置されている。シャッタ１２８は、結像レンズ１２６に入射する光を通過させて液晶画面１２の画像をインスタントフィルムＦの感光面に結像させ、又は結像レンズ１２６に入射する光を遮断してインスタントフィルムＦの感光を防止している。なお、シャッタ１２８は、結像レンズ１２６と開口部１２４Ａとの間に配置しても良い。
【００８２】
そして、フィルムケース４４に形成されたフィルム排出口４４Ａとプリンタ筐体１２４に形成されたフィルム排出口１２４Ｄとの間には、排出ローラ４８が配設され、液晶画面１２の画像が結像されたインスタントフィルムＦは、排出ローラ４８によってプリンタ筐体１２４から排出される。
【００８３】
上述したように、プリンタ筐体１２４の開口部１２４Ａから筐体内へ向かってレンズフード１２４Ｃが延出するようにしたことで、プリンタ筐体１２４を箱型に構成することが可能となった。これによって、プリンタ筐体１２４を蓋１４の表示窓３６Ａに容易に密着させることができる。
【００８４】
また、開口部１２４Ａの周辺を表示窓３６Ａの周辺に密着する密着面１２４Ｂとすることができる。これによって、密着面１２４Ｂに端子を設けて表示窓３６Ａの周辺に設けられた端子と接続すること等が可能となる。そこで、表示窓３６Ａの周辺に設けられた端子１３０と接続される端子１３２を密着面１２４Ｂに設けている。
【００８５】
また、プリンタ筐体１２４の開口部１２４Ａから筐体内へ向かってレンズフード１２４Ｃが延出するようにしたことで、レンズフード１２４Ｃの周辺に収納スペースが生まれる。そこで、この収納スペースに基板１３４、１３６、及び充電池１３８を配設している。
【００８６】
なお、ここまで説明したプリンタは、レンズアレイ５４、結像レンズ１２６によって液晶画面１２を透過した光を集光するようにしたが、これに換えて、図２２に示すように、液晶画面１２とインスタントフィルムＦとの間に、バックライトユニット３８から発光された光を集光可能な大きさの孔が縦横に所定のピッチで多数形成された多孔板１３９を設けても良い。
【００８７】
ここから、キーボード２２を液晶画面１２と入射窓３０との間から退避可能に連結する連結手段の変形例について説明する。なお、これまで説明した構成と同じ構成については説明を省略する。
図２３、２４に示すように、携帯電話１４０は、キーボード１４２がプリンタ１４４に対してスライド可能とされている。プリンタ筐体１４６の側面１４６Ａには内面１４６Ｂと略平行に溝１４６Ｃが延出している。また、キーボード筐体１４８の側面１４８Ａには表面１４８Ｂと略平行にリブ１４８Ｃが延出して、溝１４６Ｃに摺動可能に嵌合している。これによって、キーボード１４２がプリンタ１４４に対してスライド可能となっている。
【００８８】
また、図２５に示すように、蓋１５０をヒンジ２０によってプリンタに対して近づけてから蓋１５０を閉じると、蓋筐体１５２と、液晶画面１２と入射窓３０との間から退避されたキーボード１４２とが重なり合う。しかし、蓋筐体１５２の内面１５２Ａの先端部は凹面となっているので、内面１５２Ａはキーボード１４２に干渉しない。従って、表示窓３６Ａと入射窓３０が密着し、液晶画面１２を透過した光が漏れることなく入射窓３０に入射する。
【００８９】
なお、本発明を携帯電話を例に取って説明したが、これに限らず、電子辞書等の開閉式の携帯機器には全て適用可能である。また、本実施形態では表示画面を液晶画面としたが、有機ＥＬ等、他の表示画面も適用可能である。
【００９０】
【発明の効果】
本発明は上述したように、プリンタを携帯電話に連結したので、持ち運び易くなった。また、液晶画面を透過した光をインスタントフィルムの感光面に直接入射させるようににしたので、液晶画面の画像をプリントするようにしたので、プリンタに露光手段を設ける必要がなく、コストダウンとなった。さらに、通話等の通常の使用形態とプリント時の形態とで容易に形態を変えることができ、どちらの形態でも問題なく使用できる。
【図面の簡単な説明】
【図１】本発明の実施形態に係る携帯電話を示す斜視図である。
【図２】本発明の実施形態に係る携帯電話を示す斜視図である。
【図３】本発明の実施形態に係る携帯電話を示す斜視図である。
【図４】本発明の実施形態に係る携帯電話を示す斜視図である。
【図５】本発明の実施形態に係る携帯電話を示す斜視図である。
【図６】本発明の実施形態に係る携帯電話を示す断面図である。
【図７】本発明の実施形態に係る携帯電話を示す断面図である。
【図８】本発明の実施形態に係る携帯電話を示す側面図である。
【図９】本発明の実施形態に係る携帯電話を示す側面図である。
【図１０】本発明の実施形態に係る携帯電話を示す側面図である。
【図１１】本発明の実施形態に係る携帯電話の変形例を示す斜視図である
【図１２】本発明の実施形態に係る携帯電話の変形例を示す側面図である
【図１３】本発明の実施形態に係る携帯電話の変形例を示す側面図である
【図１４】本発明の実施形態に係る携帯電話の変形例を示す側面図である
【図１５】本発明の実施形態に係る携帯電話の変形例を示す側面図である
【図１６】本発明の実施形態に係る携帯電話の変形例を示す断面図である
【図１７】本発明の実施形態に係る携帯電話の変形例を示す断面図である
【図１８】本発明の実施形態に係る携帯電話の変形例を示す断面図である
【図１９】本発明の実施形態に係る携帯電話の変形例を示す断面図である
【図２０】本発明の実施形態に係る携帯電話の変形例を示す断面図である
【図２１】本発明の実施形態に係る携帯電話の変形例を示す断面図である
【図２２】本発明の実施形態に係る携帯電話の変形例を示す斜視図である
【図２３】本発明の実施形態に係る携帯電話の変形例を示す斜視図である
【図２４】本発明の実施形態に係る携帯電話の変形例を示す斜視図である
【図２５】本発明の実施形態に係る携帯電話の変形例を示す斜視図である
【符号の説明】
１０    カメラ付き携帯電話（携帯機器）
１２    液晶画面（表示画面）
１４    蓋
１６    操作ボタン（操作部）
２０    ヒンジ（第２ヒンジ）
２２    キーボード
２４    プリンタ
２８    ヒンジ（第１ヒンジ）
３０    入射窓
３２    プリントボタン（プリンタ操作部）
３３    画像選択ボタン（プリンタ操作部）
５６Ｂ  軸部
５８    プリンタ側ヒンジ（軸受部）
７０    携帯電話（携帯機器）
７１    ヒンジ（第２ヒンジ）
８０    アーム
９０    携帯電話（携帯機器）
９１    プリンタ
９４    遮光部材（遮光手段）
１００  携帯電話（携帯機器）
１０１  プリンタ
１０２  遮光部材（遮光手段）
１１０  携帯電話（携帯機器）
１１１  プリンタ
１１６Ｂ  筒体（遮光手段）
１２０  携帯電話（携帯機器）
１２２  プリンタ
１４０  携帯電話（携帯機器）
１４６Ｃ  溝（摺動手段）
１４８Ｃ  リブ（摺動手段）
Ｆ      インスタントフィルム（感光材料）
【図１】
2005052979.tif 000003
【図２】
2005052979.tif 000004
【図３】
2005052979.tif 000005
【図４】
2005052979.tif 000006
【図５】
2005052979.tif 000007
【図６】
2005052979.tif 000008
【図７】
2005052979.tif 000009
【図８】
2005052979.tif 000010
【図９】
2005052979.tif 000011
【図１０】
2005052979.tif 000012
【図１１】
2005052979.tif 000013
【図１２】
2005052979.tif 000014
【図１３】
2005052979.tif 000015
【図１４】
2005052979.tif 000016
【図１５】
2005052979.tif 000017
【図１６】
2005052979.tif 000018
【図１７】
2005052979.tif 000019
【図１８】
2005052979.tif 000020
【図１９】
2005052979.tif 000021
【図２０】
2005052979.tif 000022
【図２１】
2005052979.tif 000023
【図２２】
2005052979.tif 000024
【図２３】
2005052979.tif 000025
【図２４】
2005052979.tif 000026
【図２５】
2005052979.tif 000027